【事件の表示】
　平成　５年特許願第　４１２１８号「情報記録装置」拒絶査定不服審判事件〔平成　６年　１月１４日出願公開、特開平　６−　　５０１０〕について、次のとおり審決する。
【結　論】
　本件審判の請求は、成り立たない。
【理　由】
１．手続の経緯・本願発明
　本件審判の請求にかかる特許出願（以下、「本願」という。）は、平成５年３月２日（パリ条約による優先権主張１９９２年３月４日、オランダ）の出願であって、平成１３年１１月２２日付け拒絶理由通知に対して、平成１４年５月２７日付けで意見書及び手続補正書が提出されたが、平成１４年６月２１日付けで拒絶査定がなされ、これに対して、平成１４年９月２０日付けで拒絶査定不服の審判請求がなされるとともに、平成１４年１０月２１日付けで手続補正書が提出されたものであって、本願の発明は、その手続補正書によって補正された明細書及び図面の記載からみて、その特許請求の範囲の１〜５に記載されたとおりのものと認められるところ、その請求項１に係る発明（以下、「本願発明」という。）は、次のとおりである。
「【請求項１】　情報を該情報が受け取られる速度よりも速い速度で記録担体の記録トラック上に記録する情報記録装置であり、
　読取状態及び書込状態にされうる読取／書込ヘッドであって、書込信号に応答する前記書込状態で、対応する情報パターンを、この読取／書込ヘッドの位置により決定される走査点により走査される前記記録担体の部分に供給するとともに、前記読取状態で、前記走査点により走査される前記記録担体の前記部分の前記情報パターンを表わす読取信号を生じる読取／書込ヘッドと、
　走査点が前記記録トラックに沿って前記記録担体を走査するようにする駆動装置と、
　記録されるべき前記情報のパケットを所定のローディング速度で順次受け取り、一時的に記憶する入力バッファメモリと、
　前記ローディング速度よりも速い抽出速度で前記入力バッファメモリから情報の記憶されたパケットを抽出する抽出回路と、
　前記読取／書込ヘッド及び前記入力バッファメモリに結合され、抽出された情報のパケットを前記読取／書込ヘッドに対する書込信号に変換する書込回路と、
　周期的な中断期間中、前記パケットに対応する情報パターンが記録された後に記録処理を中断して前記入力バッファメモリの充填度レベルを所定の限界間に維持するようにし、各中断期間中、最後に抽出されたパケットに対応する情報パターンを繰返し走査し、情報の次のパケットを前記入力バッファメモリから抽出し、前記次のパケットに対応する情報パターンの記録を、最後に記録された情報パターンに隣接する前記記録担体の部分において開始する制御手段とを有する情報記録装置であって、
　各中断期間中前記読取／書込ヘッドにより供給される前記読取信号に基づいて、記録されている情報パターンの質を表わす指示信号を得る手段を有することを特徴とする情報記録装置。」
　
２．公知刊行物（引用例）に記載された発明
　これに対して、原査定の拒絶の理由に引用された特開平３−２９６９７６号公報（平成３年１２月２７日出願公開、以下、「引用例」という。）には、図面と共に次の事項が記載されている。
　
（１）「エンコーダにより音楽信号を変調し該変調データを、音楽信号の記録可能な光ディスクに、記録再生用の光ピックアップで記録を行い、該記録されたディスク上の信号を前記光ピックアップで再生し、デコーダにより音楽信号に復調し再生する光ディスク記録再生装置において、音楽信号のサンプリング周波数より少なくとも２倍以上の周波数にて光ディスクに記録再生する転送速度を有し、記録時には連続入力する音楽信号を所定の時間ごとに、又は所定の音楽信号の容量ごとに、前述光ディスク転送速度で記録し、該記録したデータを該転送速度で再生し、記録，再生を時分割に繰り返しながら、記録状態の良否の判定を行うことを特徴とする光ディスク記録再生装置。」（特許請求の範囲）
　
（２）「〔産業上の利用分野〕
　本発明は、音楽信号を記録再生する光ディスク記録再生装置に係わり、特に記録時における記録状態の良否の判定を行う装置に関するものである。」（第１ページ左欄第２０行〜右欄第３行）
　
（３）「〔作用〕
　本発明の装置において、音楽信号の記録時には、記録再生兼用光ピックアップ１個を用いて、音楽信号のサンプリング周波数より少なくとも２倍以上の周波数で光ディスクに記録し、その記録した信号を同じく音楽信号のサンプリング周波数より少なくとも２倍以上の周波数で光ディスクより再生して、記録状態の良否を判定する。以上の記録動作、再生動作を連続入力する音楽信号の所定の時間ごとに、又は所定の音楽信号の容量ごとに、時分割に繰り返して行うことによって、安価な光ディスク記録再生装置の記録状態の良否の判定を行うことを可能にする。」（第２ページ右上欄第１２行〜左下欄第４行）
　
（４）「〔実施例〕
　本発明による一実施例を第１図に示す。この実施例では、角速度一定のディスク回転方式によるものである。光ディスク上のスパイラルトラックを任意のブロックサイズ（セクターサイズ）に分割した光ディスクを使用するものとする。ディスク回転数が１８００ＲＰＭ、１トラック当たりのセクター数が１７で１セクター当たり１０２４バイトの場合、５２２ＫＢＹＴＥ　ＳＥＣの転送速度（アドレス情報・エラー訂正符号等の付加情報は除く）になる。現在、民生機器で普及しているＣＤ（コンパクトディスク）は、サンプリング周波数４４．１ｋＨＺ量子化数１６ＢＩＴ、２チャンネルとしているため、そのディスク上の転送速度は、１７６ＫＢＹＴＥ　ＳＥＣである。従って、第一の実施例の転送速度は、ＣＤの伝送速度の略３倍となる。」（第２ページ左下欄第５行〜第２０行）
　
（５）「さて、第１図に戻って説明する。記録再生する入出力の音楽信号は、ＣＤと同様に、サンプリング周波数４４．１ＫＨＺ 、量子化数１６ＢＩＴ、２チャンネルとする。本発明の要部とするブロックは、システムクロック６で動作するディスク記録再生用アドレス生成器８、音楽入出力用サンプリングクロック１１で動作する音楽入出力用アドレス生成器１０、各々のアドレス生成器によって、メモリリード・メモリライトされる第１及び第２のデータバッファメモリ１２，１３、そのバッファメモリ周辺の複数のトライステートトランシーバ、及びトライステートバッファである。また、バッファとメモリリード・メモリライトをコントロールするメモリリード・メモリライト制御回路９である。」（第２ページ右下欄第１行〜第１４行）
　
（６）「光ディスク２への記録再生を時分割に行うタイミングとして、２個の第１及び第２のデータバッファメモリ１２，１３のうち、まず第１のバッファメモリ１２への記録データのメモリ格納が満杯する時の音楽信号の記録シーケンスを説明する。入力した音楽信号は、初めに第１のデータバッファメモリ１２へ格納される。その時、メモリへのアドレスは、音楽入出力用アドレス生成器１０によって、音楽入出力用サンプリングクロック１１ごとに、０から順にインクリメントし、マイクロプロセッサ７にアドレスする。音楽信号の記録信号１７としてのＡ／Ｄ変換器１５でデジタルデータにサンプリングされ入力データは、連続で行われるために、前述の第１のデータバッファメモリ１２が満杯になった時には、即、第２のデータバッファメモリ１３へただちにセクタ回路１４を介して切り換える。また、各データバッファメモリ１２，１３が満杯になったことを示すステータスは、マイクロプロセッサ７に伝えられる。このステータスは、今、満杯になった第１又は第２のデータバッファメモリ１２，１３から、メモリデータを読み出し光ディスク２への記録開始を行う事を示す。この第１のバッファメモリ１２から読み出すためのアドレスは、ディスク記録再生用アドレス生成器８で発生する。読み出されたデータは、データバスを通り、ＥＣＣ用符号器・（復号器）５及び変調・（復調）回路４を経由して書き込み回路３ｂで光ピックアップ１に記録出力が加えられ光ディスク２に記録される。記録するセクタ数は、当然のことながら、データバッファメモリ容量分である。このデータバッファメモリ容量分の記録を終了すると今度は、今、記録した記録状態の良否判定のために、そのディスクエリアを実際に再生し、エラー状況を調べる。このため、光ピックアップ１を最初に記録したセクタアドレスへ移動させ、再生する。再生のシーケンスは、従来技術と同様であるのでここでは述べない。但し、光ディスク２から読み取り回路３ｂ及び（変調）・復調回路４及びＥＣＣ用（符号）復号器５を介し復調したデータは、データバッファメモリに格納する事無しに、先にメモリされた第１のバッファメモリのデータと比較しエラー状況のみを調べる。以上の記録・再生動作は、連続して入力されてくる音楽信号を第２のデータバッファメモリ１３に格納しながら行い、且つこの第２のデータバッファメモリ１３の格納が満杯になる前に終了する。このことは、上述のディスクへの記録から再生の為に、光ピックアップ１の移動時間を含めて、ディスク記録再生に用いるシステムクロック６は、音楽サンプリング周波数よりも、２倍以上必要であることを示している。ここで先ほどの第２のデータバッファメモリ１３が、満杯になった時、光ディスク２への記録を再開する。記録再開の光ディスク２のアドレスは、言うまでも無く先の記録停止アドレスから行う。この光ディスク２への記録の間、入力される音楽信号は、第１のデータバッファメモリ１２に格納しておく。この後の処理は、前述の様に記録の後再生を行い、以上の動作を繰り返す。」（第２ページ右下欄第１５行〜第３ページ左下欄第１３行）
　
（７）「これらのシーケンスを第２図の本発明の記録時のフローチャート及び第３図の本願におけるデータバッファメモリに対する格納、読みだしのタイミングチャートを参照しながら詳説する。第２図において、光ディスクへの記録指令と同時に、Ｓ１で入力音楽データの格納先を第１のバッファメモリ１２にイニシャルセットする。Ｓ２で光ディスク２への記録開始アドレスを記憶しておく。このアドレスに光ピックアップ１を移動しトラックホールドしながら、Ｓ３で格納先バッファメモリが切り替わったかのステータスを待つ。これは、概略説明したようにバッファメモリが満杯になったかどうかのチェックである。Ｓ４では、Ｓ３でバッファメモリが切り替わったならば、光ディスク２に記録を行うために、今度は、既に満杯になったバッファメモリメモリから記録しようとするデータを読み出しながら、光ディスク２へ記録する。この記録動作は、Ｓ５で第１のバッファメモリ１２が空になるまで読み出し、第１のバッファメモリ１２の１個分を記録し終えるまで記録を続ける。Ｓ６では、記録状態を確認するために、今記録したアドレス位置へ光ピックアップ１を戻し、再生動作を行う。再生されたデータは第１のバッファメモリに記録された記録データと比較される。この再生動作を完了すると、Ｓ７で次の記録すべき光ディスクのアドレスをセットし第２のバッファメモリ１３に記憶された記録データを光ディスク２へ同様に記録する。Ｓ８は、録音停止指令があったか否かを調べ、無ければ図のように以上のフローをループする。これらをバッファメモリへの格納及び読みだしのタイミングチャートで表すと、第３図のごとくなる。記録しようとする録音データは、連続で入力されるために、その格納は、第１及び第２のバッファメモリ１２，１３に交互に連続で行われる。しかし、バッファメモリからの読みだしは高速、離散的に行われる。また、ここで光ディスク２の記録のための第１及び第２のバッファメモリ１２，１３の読みだしと記録良否判定のための再生動作との間に、空白時間は、光ピックアップ１の戻しに要するが、このオーバーヘッドを考慮し、また、これとバッファメモリの容量を考慮して、第１図のシステムクロック６を入力する音楽信号のサンプリング周波数の何倍に設定するべきかが判る。」（第３ページ左下欄第１４行〜第４ページ左欄第１７行）
　
　したがって、これらの記載事項及び図面の記載を総合勘案すると、引用例には、
「音楽信号を、音楽信号のサンプリング周波数より少なくとも２倍以上の周波数にて光ディスク上のスパイラルトラックに記録再生する転送速度を有する光ディスク記録再生装置において、
　記録再生兼用光ピックアップ１を用いて、光ディスクへの記録指令と同時に、入力音楽データの格納先を第１のバッファメモリ１２にイニシャルセットし、光ディスク２への記録開始アドレスを記憶し、このアドレスに光ピックアップ１を移動しトラックホールドしながら、格納先バッファメモリが切り替わったかのステータス（各データバッファメモリ１２，１３が満杯になったことを示すステータス）を待ち、バッファメモリが切り替わったならば、光ディスク２に記録を行うために、既に満杯になったバッファメモリから記録しようとするデータを読み出しながら、光ディスク２へ記録し、記録状態を確認するために、今記録したアドレス位置へ光ピックアップ１を戻し、再生動作を行い、
　角速度一定のディスク回転方式によるものであり、
　音楽入出力用サンプリングクロック１１で動作する音楽入出力用アドレス生成器１０によって生成されるアドレスに、入力音楽データが格納される第１及び第２のデータバッファメモリ１２，１３と、
　第１及び第２のデータバッファメモリ１２，１３からデータを読み出すためのアドレスを発生するためのものであり、音楽信号のサンプリング周波数より少なくとも２倍以上であるシステムクロック６で動作するディスク記録再生用アドレス生成器８と、
　第１及び第２のデータバッファメモリ１２，１３から読み出されたデータが経由するＥＣＣ用符号器・（復号器）５及び変調・（復調）回路４と、経由したデータを光ピックアップ１に記録出力として加える書き込み回路３ｂと、
　バッファとメモリリード・メモリライトをコントロールするメモリリード・メモリライト制御回路９と、
　メモリへのアドレスがアドレスされ、各データバッファメモリ１２，１３が満杯になったことを示すステータスが伝えられるマイクロプロセッサ７とを備え、
　記録動作、再生動作は、連続入力する音楽信号の所定の時間ごとに、又は所定の音楽信号の容量ごとに、時分割に繰り返して行うものであり、第１のデータバッファメモリ１２が満杯になった時には、満杯になったことを示すステータスが、マイクロプロセッサ７に伝えられ、満杯になった第１のデータバッファメモリ１２から、メモリデータを読み出しながら、光ディスク２へ記録され、この記録動作は、第１のバッファメモリ１２が空になるまで読み出し、第１のバッファメモリ１２の１個分を記録し終えるまで記録を続け、データバッファメモリ容量分の記録を終了すると今度は、記録した記録状態の良否判定のために、今記録したアドレス位置へ光ピックアップ１を戻し、再生動作を行い、再生動作を完了すると、次の記録すべき光ディスクのアドレス（光ディスク２への記録開始アドレス）をセット（記憶）し、このアドレスに光ピックアップ１を移動しトラックホールドしながら、第２のデータバッファメモリ１３が満杯になるのを待ち、以上の記録・再生動作は、連続して入力されてくる音楽信号を第２のデータバッファメモリ１３に格納しながら行い、且つこの第２のデータバッファメモリ１３の格納が満杯になる前に終了し、第２のデータパッファメモリ１３が、満杯になった時、光ディスク２への記録を、次の記録すべき光ディスクのアドレスから再開し、
　光ピックアップ１で再生されたデータは、第１のバッファメモリに記録された記録データと比較されエラー状況を調べる光ディスク記録再生装置。」
の発明（以下、「引用発明」という。）が記載されている。
　
３．対比
　本願発明と、引用発明とを対比する。
　
（１）引用発明の「音楽信号」及び「光ディスク」が、それぞれ、本願発明の「情報」及び「記録担体」に相当し、引用発明の「音楽信号のサンプリング周波数より少なくとも２倍以上の周波数にて光ディスク上のスパイラルトラックに記録再生する転送速度を有する」ことが、本願発明の「情報が受け取られる速度よりも速い速度で記録担体の記録トラック上に記録する」ことに相当するものである。したがって、引用発明の「光ディスク記録再生装置」は、情報の記録を行う装置であるから、本願発明の「情報記録装置」に相当する。
　
（２）引用発明の「記録再生兼用光ピックアップ１」は、本願発明の「読取状態及び書込状態にされうる読取／書込ヘッド」に相当する。また、引用発明の「光ディスクへの記録指令」、「入力音楽データ」、及び「光ピックアップ１」が移動し「トラックホールド」される「記録開始アドレス」は、それぞれ、本願発明の「書込信号」、「情報パターン」、及び「読取／書込ヘッドの位置により決定される走査点により走査される記録担体の部分」に相当するものであるから、上記引用発明の「光ピックアップ１」は、本願発明の「読取状態及び書込状態にされうる読取／書込ヘッドであって、書込信号に応答する前記書込状態で、対応する情報パターンを、この読取／書込ヘッドの位置により決定される走査点により走査される前記記録担体の部分に供給するとともに、前記読取状態で、前記走査点により走査される前記記録担体の前記部分の前記情報パターンを表わす読取信号を生じる読取／書込ヘッド」に相当する機能を有するものである。
　
（３）引用発明の「光ディスク」は、「スパイラルトラック」を有し、「角速度一定のディスク回転方式」により回転するもので、回転のための「駆動装置」を当然備えるものであり、このスパイラルトラックを有し、角速度一定のディスクを回転させる「駆動装置」は、本願発明の「走査点が前記記録トラックに沿って前記記録担体を走査するようにする駆動装置」に相当する。
　
（４）上記（２）に記載したように、引用発明の「入力音楽データ」は、本願発明の「情報パターン」に相当するものであるから、引用発明の「音楽入出力用サンプリングクロック１１で動作する音楽入出力用アドレス生成器１０によって生成されるアドレスに、入力音楽データが格納される第１及び第２のデータバッファメモリ１２，１３」は、「記録されるべき情報を所定のローディング速度で順次受け取り、一時的に記憶する」との機能構成を包含している点で、本願発明の「入力バッファメモリ」に相当する。
　
（５）引用発明の「第１及び第２のデータバッファメモリ１２，１３からデータを読み出すためのアドレスを発生するためのものであり、音楽信号のサンプリング周波数より少なくとも２倍以上であるシステムクロック６で動作するディスク記録再生用アドレス生成器８」は、「ローディング速度よりも速い抽出速度で入力バッファメモリから情報を抽出する」との機能構成を包含している点で、本願発明の「抽出回路」に相当する。
　
（６）引用発明の「第１及び第２のデータバッファメモリ１２，１３」から読み出されたデータが経由する「ＥＣＣ用符号器・（復号器）５」及び「変調・（復調）回路４」と、この経由したデータを「光ピックアップ１」に記録出力として加える「書き込み回路３ｂ」とは、「読取／書込ヘッド及び入力バッファメモリに結合され、抽出された情報を読取／書込ヘッドに対する書込信号に変換する」との機能構成を包含している点で、本願発明の「書込回路」に相当する。
　
（７）引用発明の「時分割に繰り返して」行われる「記録動作」と「再生動作」のうち、「再生動作」が、本願発明の「周期的な中断期間中」に相当する。また、引用発明の「記録動作」は、「第１及び第２のデータバッファメモリ１２，１３」のうち、一方の「データバッファメモリ」が「満杯」になると「開始」され、「満杯」になった「データバッファメモリ」が「空」になると「終了」され、他方の「データバッファメモリ」が「満杯」になると「再開」されるものである。ここで、「データバッファメモリ」における「満杯」及び「空」は、それぞれ「メモリ」の「充填度レベル」の「限界」である。したがって、引用発明において「データバッファメモリ」の「満杯」と「空」との間で、「記録動作」を「終了」し「再開」することは、本願発明において「情報パターンが記録された後に記録処理を中断して入力バッファメモリの充填度レベルを所定の限界間に維持するように」することに相当する。更に、引用発明において「記録」は、「次の記録すべき光ディスクのアドレス（光ディスク２への記録開始アドレス）」をセット（記憶）し、このアドレスに光ピックアップを移動し「トラックホールド」しながら、「データバッファメモリ」が「満杯」になるのを待ち、「満杯」になると、このアドレスから「再開」されるが、引用発明の「トラックホールド」は、本願発明の「最後に抽出された情報パターンを繰返し走査」することに相当し、引用発明の「次の記録すべき光ディスクのアドレス（光ディスク２への記録開始アドレス）」が、本願発明の「最後に記録された情報パターンに隣接する記録担体の部分」に相当するものである。そして、引用発明においては、これらの「記録動作」及び「再生動作」を「メモリリード・メモリライト制御回路９」及び「マイクロプロセッサ７」で制御しており、引用発明の「メモリリード・メモリライト制御回路９」及び「マイクロプロセッサ７」は、「周期的な中断期間中、情報パターンが記録された後に記録処理を中断して前記入力バッファメモリの充填度レベルを所定の限界間に維持するようにし、各中断期間中、最後に抽出された情報パターンを繰返し走査し、情報の次を前記入力バッファメモリから抽出し、前記次の情報パターンの記録を、最後に記録された情報パターンに隣接する前記記録担体の部分において開始する」との機能構成を包含している点で、本願発明の「制御手段」に相当する。
　
（８）引用発明においては「記録状態の良否判定」のために、記録したデータを「光ピックアップ１」で再生し、再生されたデータと「バッファメモリ」に記録されたデータとを比較し「エラー状況」を調べており、引用発明の「エラー状況」が、本願発明の「記録されている情報パターンの質を表わす指示信号」に相当するものである。また、引用発明が、「エラー状況」を調べるための手段を備えることは当然のものであり、当該手段は、本願発明の「各中断期間中前記読取／書込ヘッドにより供給される前記読取信号に基づいて、記録されている情報パターンの質を表わす指示信号を得る手段」に相当する。
　
　したがって、本願発明と引用発明とは、次の点で一致する。
　
「情報を該情報が受け取られる速度よりも速い速度で記録担体の記録トラック上に記録する情報記録装置であり、
　読取状態及び書込状態にされうる読取／書込ヘッドであって、書込信号に応答する前記書込状態で、対応する情報パターンを、この読取／書込ヘッドの位置により決定される走査点により走査される前記記録担体の部分に供給するとともに、前記読取状態で、前記走査点により走査される前記記録担体の前記部分の前記情報パターンを表わす読取信号を生じる読取／書込ヘッドと、
　走査点が前記記録トラックに沿って前記記録担体を走査するようにする駆動装置と、
　記録されるべき前記情報を所定のローディング速度で順次受け取り、一時的に記憶する入力バッファメモリと、
　前記ローディング速度よりも速い抽出速度で前記入力バッファメモリから情報を抽出する抽出回路と、
　前記読取／書込ヘッド及び前記入力バッファメモリに結合され、抽出された情報を前記読取／書込ヘッドに対する書込信号に変換する書込回路と、
　周期的な中断期間中、情報パターンが記録された後に記録処理を中断して前記入力バッファメモリの充填度レベルを所定の限界間に維持するようにし、各中断期間中、最後に抽出された情報パターンを繰返し走査し、情報の次を前記入力バッファメモリから抽出し、前記次の情報パターンの記録を、最後に記録された情報パターンに隣接する前記記録担体の部分において開始する制御手段とを有する情報記録装置であって、
　各中断期間中前記読取／書込ヘッドにより供給される前記読取信号に基づいて、記録されている情報パターンの質を表わす指示信号を得る手段を有することを特徴とする情報記録装置。」
　
　一方、両者は、以下の点で相違している。
　
（ａ）相違点１
　本願発明が、「入力バッファメモリ」への情報の記憶、及び「入力バッファメモリ」からの情報の抽出を、「パケット」で行い、「記録媒体」への記録及び走査を、この「パケット」に対応する情報パターンで行っているのに対し、引用発明には、この「パケット」に対応する記載がない点。
　
（ｂ）相違点２
　上記「３．対比（４）」で指摘したように、本願発明の「入力バッファメモリ」と、引用発明の「第１及び第２のデータバッファメモリ１２，１３」とは、「記録されるべき情報を所定のローディング速度で順次受け取り、一時的に記憶する」との点で一致している。一方、本願発明の「入力バッファメモリ」が１つのメモリであるのに対し、引用発明の「第１及び第２のデータバッファメモリ１２，１３」が２つのメモリである点で相違する。
　
（ｃ）相違点３
　上記「３．対比（７）」で指摘したように、本願発明の「入力バッファメモリの充填度レベル」の「所定の限界」と、引用発明の「データバッファメモリ」における「満杯」及び「空」とは、「メモリ」の「充填度レベル」の「限界」であるとの点で一致している。一方、上記相違点２に関連し、本願発明の「入力バッファメモリの充填度レベル」の「所定の限界」が、１つのメモリにおける「充填度レベル」（本願発明の実施例では、「所定値Ｖｍａｘ」及び「所定の限界値Ｖｍｉｎ」）であるのに対し、引用発明の「満杯」及び「空」が、２つのメモリ各々の「充填度レベル」である点で相違する。
　
４．当審の判断
（Ａ）相違点１について
　「入力バッファメモリ」への情報の記憶や、「入力バッファメモリ」からの情報の抽出を、「パケット」で行うこと、及び「記録媒体」への記録や走査を、この「パケット」に対応する情報パターンで行うことは、当該技術分野において周知の技術である。
　例えば、本件審判請求人により出願され、本願発明の出願前に頒布された刊行物である特開平３−１７６８５４号公報（以下、「周知例」という。）には、「占有度がこの値を越えるとステップＳ４において、入力バッファメモリ６にストアされている情報が第一パケットに記録されるべき情報であるか否かがチェックされる。」（第６頁右上欄第１３行〜第１６行）、「ステップＳ８の後ステップＳ９の間において、全ての情報パケットが既に記録されているか否かが確認される。」（第７頁左上欄第２行〜第４行）、「この記録の中断及び再開のプロセスは、ステップＳ９において記録されるべき情報の最後のパケットが検知されてステップＳ１２が実行されるまで行われる。」（第７頁右上欄第１０行〜第１３行）、及び「続いてステップＳ２７において、所望の情報の全てのパケットが完全に読み出されたか否かがチェックされる。」（第８頁右上欄第１０行〜第１２行）等の記載がある。
　引用発明と上記周知の技術とは、共に、光ディスク記録再生装置において、記録と再生とを交互に繰り返しながら、光ディスクに情報を記録するものであり、引用発明に、上記周知の技術を適用し、相違点１とした本願発明の構成とすることに、格別の困難性はない。
　
（Ｂ）相違点２について
　記録される情報を一時的に記憶するためのメモリを、いくつにするかは、当業者が適宜選択可能な事項であり、引用発明の「データバッファメモリ」を１つのメモリとすることに格別の困難性はない。
　また、上記周知例には、記録されるべき情報のパケットを所定のローディング速度で順次受け取り、一時的に記憶するために用いられる、１つの「入力バッファメモリ６」が記載されており、「入力バッファメモリ」を１つのメモリとすることは、当該技術分野において周知の技術でもある。
　したがって、引用発明に、上記周知の技術を適用し、相違点２とした本願発明の構成とすることにも、格別の困難性はない。
　
（Ｃ）相違点３について
　上記周知例には、１つの入力バッファメモリの占有度（充填度レベル）を特定制限値（「Ｖｍａｘ」及び「Ｖｍｉｎ」）の間（所定の限界間）に維持させることが記載されており、相違点３とした本願発明の構成は、当該技術分野において周知の技術である。
　したがって、引用発明に、上記周知の技術を適用し、相違点３とした本願発明の構成とすることに、格別の困難性はない。
　
５．むすび
　以上のとおりであって、本願の請求項１に係る発明は、上記引用発明例及び周知の技術に基づいて当業者が容易に発明をすることができたものであるから、特許法第２９条第２項の規定により特許を受けることはできない。
　したがって、本願は、その余の請求項について論及するまでもなく、拒絶すべきものである。
　
　よって、結論のとおり審決する。